【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
複数の画素からなる画素アレイと、画素アレイ上に規則的に配列された複数の色のカラーフィルタと、を有し、各画素は、結像光学系の異なる瞳領域を通過した光束をそれぞれ受光して前記結像光学系が結像する被写体像を光電変換する複数の光電変換部を備えた撮像素子と、
前記画素アレイに出力画像を生成するための複数の画像生成位置を設定し、各画像生成位置に対して、前記複数の画素の中から使用される複数の光電変換部を選択し、選択された前記複数の光電変換部からの信号に基づいて前記複数の色の全ての色情報を設定する画像処理手段と、
を有し、
前記画像処理手段は、各画像生成位置に対して、選択された前記光電変換部が前記光束を受光する位置と、前記選択された光電変換部に対応する画素の中心位置とのずれ量を相殺するための重みを、前記選択された光電変換部からの信号に加重して加算することによって前記色情報を設定し、
前記画素アレイにおいて、前記複数の画像生成位置は、前記複数の画素の中心位置からずれていることを特徴とする撮像装置。
【請求項２】
前記カラーフィルタはベイヤー配列され、各画素は２×２の光電変換部を備え、
前記画像処理手段は、前記ベイヤー配列のＲとＢの色情報を設定する際に、前記画素アレイにおいて、水平方向と垂直方向に１画素分だけ離れて配置された４つの画素うち左上の画素の右下隅の位置を第１の画像生成位置として設定し、
前記画像処理手段は、
前記左上の画素の左上の光電変換部の色情報と、前記左上の画素の右上の光電変換部の色情報と、前記４つの画素のうち右上の画素の左上の光電変換部の色情報を１：２：１の割合で加重加算することによって、前記左上の画素の前記左上の光電変換部と前記右上の光電変換部のそれぞれが前記光束を受光する位置を結ぶ第１の線と前記左上の画素の輪郭が交差する第１の位置に、第１の色情報を設定し、
前記左上の画素の左下の光電変換部の色情報と、前記左上の画素の右下の光電変換部の色情報と、前記右上の画素の左下の光電変換部の色情報を１：２：１の割合で加重加算することによって、前記左上の画素の前記左下の光電変換部と前記右下の光電変換部のそれぞれが前記光束を受光する位置を結ぶ第２の線と前記左上の画素の輪郭が交差する第２の位置に、第２の色情報を設定し、
前記４つの画素のうち左下の画素の左上の光電変換部の色情報と、前記左下の画素の右上の光電変換部の色情報と、前記４つの画素のうち右下の画素の左上の光電変換部の色情報を１：２：１の割合で加重加算することによって、前記左下の画素の前記左上の光電変換部と前記右上の光電変換部のそれぞれが前記光束を受光する位置を結ぶ第３の線と前記左下の画素の輪郭が交差する第３の位置に、第３の色情報を設定し、
前記第１の色情報と、前記第２の色情報と、前記第３の色情報を１：２：１の割合で加重加算することによって、前記第１の画像生成位置に前記色情報を設定することを特徴とする請求項１に記載の撮像装置。
【請求項３】
前記左上の画素の中心位置と前記右上の画素の中心位置のそれぞれを垂直方向に前記第１の線に投影すると、前記第１の位置は、前記第１の線に投影された前記左上の画素の中心位置と前記右上の画素の中心位置の間の距離を１：３に内分し、
前記左上の画素の中心位置と前記右上の画素の中心位置のそれぞれを垂直方向に前記第２の線に投影すると、前記第２の位置は、前記第２の線に投影された前記左上の画素の中心位置と前記右上の画素の中心位置の間の距離を１：３に内分し、
前記左下の画素の中心位置と前記右下の画素の中心位置のそれぞれを垂直方向に前記第３の線に投影すると、前記第３の位置は、前記第３の線に投影された前記左下の画素の中心位置と前記右下の画素の中心位置の間の距離を１：３に内分することを特徴とする請求項２に記載の撮像装置。
【請求項４】
前記カラーフィルタはベイヤー配列され、各画素は２×２の光電変換部を備え、
前記画像処理手段は、前記ベイヤー配列のＧの色情報を設定する際に、対角方向に隣接するＧの色情報を有する２つの画素の交点を第１の画像生成位置として設定し、該第１の画像生成位置を介して前記対角方向に隣接する２つの光電変換部の色情報を加算平均することによって、前記第１の画像生成位置の色情報を設定することを特徴とする請求項１に記載の撮像装置。
【請求項５】
前記画像処理手段は、各画像生成位置に対して、水平方向および垂直方向の少なくとも一方において、前記ずれ量を相殺するように、前記重みを加重することを特徴とする請求項１に記載の撮像装置。
【請求項６】
前記結像光学系または前記撮像素子を駆動する駆動手段と、
合焦位置からずれた位置で撮像されるように前記駆動手段を制御する制御手段と、
を有することを特徴とする請求項１乃至５のうちいずれか１項に記載の撮像装置。
【請求項７】
複数の画素からなる画素アレイと、画素アレイ上に規則的に配列された複数の色のカラーフィルタと、を有し、各画素は、結像光学系の異なる瞳領域を通過した光束をそれぞれ受光して前記結像光学系が結像する被写体像を光電変換する複数の光電変換部を備えた撮像素子から得られる信号を処理する画像処理装置であって、
前記画素アレイに出力画像を生成するための複数の画像生成位置を設定する手段と、
各画像生成位置に対して、前記複数の画素の中から使用される複数の光電変換部を選択する手段と、
選択された前記複数の光電変換部からの信号に基づいて前記複数の色の全ての色情報を設定する手段と、
を有し、
前記色情報を設定する手段は、各画像生成位置に対して、選択された前記光電変換部が前記光束を受光する位置と、前記選択された光電変換部に対応する画素の中心位置とのずれ量を相殺するための重みを、前記選択された光電変換部からの信号に加重して加算し、
前記画素アレイにおいて、前記複数の画像生成位置は、前記複数の画素の中心位置からずれていることを特徴とする画像処理装置。
【請求項８】
複数の画素からなる画素アレイと、画素アレイ上に規則的に配列された複数の色のカラーフィルタと、を有し、各画素は、結像光学系の異なる瞳領域を通過した光束をそれぞれ受光して前記結像光学系が結像する被写体像を光電変換する複数の光電変換部を備えた撮像素子から得られる信号を処理する画像処理方法であって、
前記画素アレイに出力画像を生成するための複数の画像生成位置を設定するステップと、
各画像生成位置に対して、前記複数の画素の中から使用される複数の光電変換部を選択するステップと、
選択された前記複数の光電変換部からの信号に基づいて前記複数の色の全ての色情報を設定するステップと、
を有し、
前記色情報を設定するステップは、各画像生成位置に対して、選択された前記光電変換部が前記光束を受光する位置と、前記選択された光電変換部に対応する画素の中心位置とのずれ量を相殺するための重みを、前記選択された光電変換部からの信号に加重して加算し、
前記画素アレイにおいて、前記複数の画像生成位置は、前記複数の画素の中心位置からずれていることを特徴とする画像処理方法。
【請求項９】
コンピュータに請求項８に記載の画像処理方法を実行させるためのプログラム。
【手続補正２】
【補正対象書類名】明細書
【補正対象項目名】０００６
【補正方法】変更
【補正の内容】
【０００６】
本発明の撮像装置は、複数の画素からなる画素アレイと、画素アレイ上に規則的に配列された複数の色のカラーフィルタと、を有し、各画素は、結像光学系の異なる瞳領域を通過した光束をそれぞれ受光して前記結像光学系が結像する被写体像を光電変換する複数の光電変換部を備えた撮像素子と、前記画素アレイに出力画像を生成するための複数の画像生成位置を設定し、各画像生成位置に対して、前記複数の画素の中から使用される複数の光電変換部を選択し、選択された前記複数の光電変換部からの信号に基づいて前記複数の色の全ての色情報を設定する画像処理手段と、を有し、前記画像処理手段は、各画像生成位置に対して、選択された前記光電変換部が前記光束を受光する位置と、前記選択された光電変換部に対応する画素の中心位置とのずれ量を相殺するための重みを、前記選択された光電変換部からの信号に加重して加算することによって前記色情報を設定し、前記画素アレイにおいて、前記複数の画像生成位置は、前記複数の画素の中心位置からずれていることを特徴とする。